(57)【要約】【課題】ＡＭラジオの音声信号の復調処理とＦＭラジオの音声信号の復調処理とアナログＴＶ放送の映像信号の復調処理とを同じ受信機で行う場合であっても、復調処理部のサイズの増大、製造コストの増大及び受信機の消費電力の増大を避けることができる受信機等を提供する。【解決手段】ソフトウェア無線技術の利用により共通化した復調処理部１００を、放送モードＢと音声モードＶとを含む指示情報Ｒに基づいて選択されたＩＦ信号に放送モードＢ及び音声モードＶを含める処理を行うモード処理部５、ＡＭ検波部６、ＦＭ検波部２０、切替部３０、低域通過フィルタ４０および音声出力制御部５０のみで構成する。受信機のコンピュータに本発明の復調処理部のコンピュータ・プログラムを実行させることにより、ＡＭラジオの音声信号の復調処理と、ＦＭラジオの音声信号の復調処理と、アナログＴＶ放送の映像信号の復調処理とを同じ受信機で行うことができる。【選択図】  図１
2005311633.tif 000002
【特許請求の範囲】
【請求項１】
振幅変調（ＡＭ）ラジオ放送の音声信号の復調処理と、周波数変調（ＦＭ）ラジオ放送の音声信号の復調処理と、アナログテレビジョン（ＴＶ）放送の映像信号及び音声信号の復調処理とを選択的に行う受信機であって、
ＡＭラジオ放送、ＦＭラジオ放送又はＴＶ放送の種別を示す放送モードと音声の種別を示す音声モードとを含む指示情報に基づいて選択された中間周波信号に該放送モード及び該音声モードを含める処理を行うモード処理部と、入力信号のＡＭ検波を行なうＡＭ検波部と、入力信号のＦＭ検波を行なうＦＭ検波部と、入力信号を第１ないし第５切替端子へ出力する切替部と、入力信号の周波数の低域部分を通過させる低域通過フィルタと、入力信号に含まれる音声モードに基づき音声出力信号の出力制御を行なう音声出力制御部とを備え、
前記モード処理部の出力側は、放送モード及び音声モードを含む各中間周波信号を出力するＡＭ中間周波信号出力端子、ＦＭ中間周波信号出力端子及びＴＶ中間周波信号出力端子を有し、
前記音声出力制御部の入力側は、音声モードを識別可能な信号を入力する音声モード信号入力端子及び音声出力信号を入力する音声出力信号入力端子を有し、
前記ＡＭ検波部の入力側は、前記モード処理部のＡＭ中間周波信号出力端子、ＴＶ中間周波信号出力端子及び前記切替部の第１切替端子と接続されたＡＭ検波部入力端子を有し、出力側はＡＭ音声信号の出力端子、ＴＶ映像信号の出力端子、前記音声出力制御部の音声モード信号入力端子と接続された出力端子及び前記低域通過フィルタの入力端子と接続された出力端子を有し、
前記ＦＭ検波部の入力側は、前記モード処理部のＴＶ中間周波信号出力端子、ＦＭ中間周波信号出力端子及び前記切替部の第２切替端子と接続され、出力側は前記切替部と接続されており、
前記切替部の第３切替端子は前記音声出力制御部の音声出力信号入力端子と接続され、第４切替端子は前記音声出力制御部の音声モード信号入力端子と接続されており、前記低域通過フィルタの入力側は前記切替部の第５切替端子と接続され、出力側は前記音声出力制御部の音声出力信号入力端子と接続されており、
前記モード処理部は、
放送モード及び音声モードを含む指示情報を入力する指示情報入力手段と、
前記指示情報入力手段により入力した放送モードに基づき、受信したＡＭ中間周波信号、ＦＭ中間周波信号及びＴＶ中間周波信号の内のいずれかの中間周波信号を選択する選択手段と、
前記選択手段により選択された中間周波信号の所定の識別部に前記指示情報入力手段により入力した放送モード及び音声モードを含めさせた後、該中間周波信号に応じてＡＭ中間周波信号出力端子、ＦＭ中間周波信号出力端子又はＴＶ中間周波信号出力端子のいずれかの出力端子から出力させる識別部設定手段とを備え、
前記ＡＭ検波部は、
ＡＭ検波部入力端子から入力された入力信号のＡＭ検波を行なうＡＭ検波回路と、
前記ＡＭ検波回路により復調された信号の識別部に含まれる放送モードがＡＭラジオ放送モードを示す場合は復調された信号をＡＭ音声信号の出力端子から出力させ、該放送モードがＴＶ放送モードを示す場合は復調された信号をＴＶ映像信号の出力端子から出力させ、該放送モードがＦＭ検波後ＴＶ放送モードを示す場合は復調された信号を前記音声出力制御部の音声モード信号入力端子と接続された出力端子から出力させ、該放送モードがＦＭラジオ放送モードを示す場合は復調された信号を前記低域通過フィルタの入力端子と接続された出力端子から出力させる判定回路とを備え、
前記切替部は、
入力信号の識別部に含まれる放送モードの内容を判断する放送モード判断手段と、
前記放送モード判断手段によりＦＭラジオ放送モードを示すと判断された場合、該入力信号を第１切替端子、第４切替端子及び第５切替端子から出力させるＦＭラジオ放送モード切替手段と、
前記放送モード判断手段によりＴＶ放送モードを示すと判断された場合、該放送モードの内容をＦＭ検波後ＴＶ放送モードへ変更した後の入力信号を第１切替端子、第２切替端子及び第５切替端子から出力させるＴＶ放送モード切替手段と、
前記放送モード判断手段によりＦＭ検波後ＴＶ放送モードを示すと判断された場合、該入力信号を第３切替端子から出力させるＦＭ検波後ＴＶ放送モード切替手段とを備え、
前記音声出力制御部は、
音声モード信号入力端子からの入力信号の識別部に含まれる音声モードと該入力信号により検出された音声モードとが同じであるか否かを判断する音声モード判断手段と、
前記音声モード判断手段により２つの音声モードが同じであると判断された場合、音声出力信号入力端子から入力された音声出力信号を該音声モードに基づき出力させる音声制御手段とを備えたことを特徴とする受信機。
【請求項２】
請求項１記載の受信機において、前記ＦＭ検波部は、入力信号の帯域制限を行なう帯域制限フィルタと、該帯域制限フィルタから出力された信号の同期検波を行なう同期検波回路と、該同期検波回路から出力された信号の高周波を抑制する高周波抑制フィルタとを備えたことを特徴とする受信機。
【請求項３】
請求項１または２記載の受信機において、前記モード処理部は音声モードを出力する音声モード出力端子をさらに備え、前記音声出力制御部は該音声モード出力端子と接続された音声モード入力端子をさらに備え、
前記識別部設定手段は、前記選択手段により選択された中間周波信号の所定の識別部に前記指示情報入力手段により入力した放送モードを含めさせた後、該中間周波信号に応じてＡＭ中間周波信号出力端子、ＦＭ中間周波信号出力端子又はＴＶ中間周波信号出力端子のいずれかの出力端子から出力させ、前記指示情報入力手段により入力した音声モードは音声モード出力端子から出力させるものであり、
前記音声モード判断手段は、音声モード入力端子から入力された音声モードと音声モード信号入力端子からの入力信号により検出された音声モードとが同じであるか否かを判断することを特徴とする受信機。
【請求項４】
請求項１ないし３のいずれかに記載の受信機において、前記ＡＭ検波部のＡＭ検波部入力端子は前記モード処理部のＡＭ中間周波信号出力端子と接続されたＡＭ中間周波信号専用入力端子と、ＴＶ中間周波信号出力端子及び切替部の第１切替端子と接続された他の入力端子とに分かれ、
前記モード処理部の識別部設定手段は、前記選択手段によりＡＭ中間周波信号が選択された場合、受信したＡＭ中間周波信号の所定の識別部に前記指示情報入力手段により入力した音声モードを含めさせた後、ＡＭ中間周波信号出力端子から出力させ、
前記ＡＭ検波部のＡＭ検波回路は、
ＡＭ中間周波信号専用入力端子から入力された入力信号のＡＭ検波を行なって、復調された信号をＡＭ音声信号の出力端子から出力させる第１ＡＭ検波回路と、
他の入力端子から入力された入力信号のＡＭ検波を行なう第２ＡＭ検波回路とを有し、
前記判定回路は、
前記第２ＡＭ検波回路により復調された信号の識別部に含まれる放送モードがＴＶ放送モードを示す場合は復調された信号をＴＶ映像信号の出力端子から出力させ、該放送モードがＦＭ検波後ＴＶ放送モードを示す場合は復調された信号を前記音声出力制御部の音声モード信号入力端子と接続された出力端子から出力させ、該放送モードがＦＭラジオ放送モードを示す場合は復調された信号を前記音声出力制御部の音声出力信号入力端子と接続された出力端子から出力させることを特徴とする受信機。
【請求項５】
請求項１ないし４のいずれかに記載の受信機において、前記音声制御手段は、前記音声モード判断手段により２つの音声モードが同じであると判断されなかった場合、音声出力信号入力端子から入力された音声出力信号を所定の音声モードに基づき出力することを特徴とする受信機。
【請求項６】
振幅変調（ＡＭ）ラジオ放送の音声信号の復調処理と、周波数変調（ＦＭ）ラジオ放送の音声信号の復調処理と、アナログテレビジョン（ＴＶ）放送の映像信号及び音声信号の復調処理とを選択的に行う受信機における、ＡＭラジオ放送、ＦＭラジオ放送又はＴＶ放送の種別を示す放送モードと音声の種別を示す音声モードとを含む指示情報に基づいて選択された中間周波信号に該放送モード及び該音声モードを含める処理を行うモード処理部の処理を行うためのプログラムであって、
前記モード処理部の出力側は前記受信機においてＡＭ検波を行なうＡＭ検波部と接続されたＡＭ中間周波信号出力端子、前記受信機においてＦＭ検波を行なうＦＭ検波部と接続されたＦＭ中間周波信号出力端子及び前記ＡＭ検波部と前記ＦＭ検波部とに接続されたＴＶ中間周波信号出力端子を有しており、
コンピュータを、
放送モード及び音声モードを含む指示情報を入力する指示情報入力手段、
前記指示情報入力手段により入力した放送モードに基づき、受信したＡＭ中間周波信号、ＦＭ中間周波信号及びＴＶ中間周波信号の内のいずれかの中間周波信号を選択する選択手段、
前記選択手段により選択された中間周波信号の所定の識別部に前記指示情報入力手段により入力した放送モード及び音声モードを含めさせた後、該中間周波信号に応じてＡＭ中間周波信号出力端子、ＦＭ中間周波信号出力端子又はＴＶ中間周波信号出力端子のいずれかの出力端子から出力させる識別部設定手段として機能させるためのプログラム。
【請求項７】
請求項６記載のプログラムにおいて、前記モード処理部は音声モードを出力する音声モード出力端子をさらに備え、該音声モード出力端子は入力信号の所定の識別部に含まれる音声モードに基づき音声出力信号の処理を行う音声出力制御部と接続されており、
前記識別部設定手段は、前記選択手段により選択された中間周波信号の所定の識別部に前記指示情報入力手段により入力した放送モードを含めさせた後、該中間周波信号に応じてＡＭ中間周波信号出力端子、ＦＭ中間周波信号出力端子又はＴＶ中間周波信号出力端子のいずれかの出力端子から出力させ、前記指示情報入力手段により入力した音声モードは音声モード出力端子から出力させることを特徴とするプログラム。
【請求項８】
振幅変調（ＡＭ）ラジオ放送の音声信号の復調処理と、周波数変調（ＦＭ）ラジオ放送の音声信号の復調処理と、アナログテレビジョン（ＴＶ）放送の映像信号及び音声信号の復調処理とを選択的に行う受信機における、ＡＭラジオ放送、ＦＭラジオ放送又はＴＶ放送の種別を示す放送モードに基づき、該放送モードを所定の識別部に含む入力信号を第１ないし第５切替端子へ出力する切替部の処理を行うためのプログラムであって、
前記受信機は、入力信号のＡＭ検波を行なうＡＭ検波部と、入力信号のＦＭ検波を行なうＦＭ検波部と、入力信号の周波数の低域部分を通過させる低域通過フィルタと、入力信号に含まれる音声モードに基づき音声出力信号の出力制御を行なう音声出力制御部とを備えており、
前記切替部の入力側は前記ＦＭ検波部の出力側と接続され、第１切替端子は前記ＡＭ検波部の入力側と接続され、第２切替端子は前記ＦＭ検波部の入力側と接続され、第３切替端子は前記音声出力制御部の入力側における音声出力信号を入力する音声出力信号入力端子と接続され、第４切替端子は前記音声出力制御部の入力側における音声モードを識別可能な信号を入力する音声モード信号入力端子と接続され、第５切替端子は前記低域通過フィルタの入力側と接続されており、
コンピュータを、
入力信号の識別部に含まれる放送モードの内容を判断する放送モード判断手段、
前記放送モード判断手段によりＦＭラジオ放送モードを示すと判断された場合、該入力信号を第１切替端子、第４切替端子及び第５切替端子から出力させるＦＭラジオ放送モード切替手段、
前記放送モード判断手段によりＴＶ放送モードを示すと判断された場合、該放送モードの内容をＦＭ検波後ＴＶ放送モードへ変更した後の入力信号を第１切替端子、第２切替端子及び第５切替端子から出力させるＴＶ放送モード切替手段、
前記放送モード判断手段によりＦＭ検波後ＴＶ放送モードを示すと判断された場合、該入力信号を第３切替端子から出力させるＦＭ検波後ＴＶ放送モード切替手段として機能させるためのプログラム。
【請求項９】
振幅変調（ＡＭ）ラジオ放送の音声信号の復調処理と、周波数変調（ＦＭ）ラジオ放送の音声信号の復調処理と、アナログテレビジョン（ＴＶ）放送の映像信号及び音声信号の復調処理とを選択的に行う受信機における、入力信号の所定の識別部に含まれる音声の種別を示す音声モードに基づき音声出力信号の処理を行う音声出力制御部の処理を行うためのプログラムであって、
前記受信機は、
入力信号のＦＭ検波を行なうＦＭ検波部により１回ＦＭ検波されたＦＭ中間周波信号を出力するＦＭラジオ放送用切替端子と、該ＦＭ検波部により２回ＦＭ検波されたＴＶ中間周波信号を出力するＴＶ放送用切替端子と、該ＦＭ検波部により１回ＦＭ検波されたＦＭ中間周波信号またはＴＶ中間周波信号を出力する共用切替端子とを有する切替部と、
前記ＦＭ検波部により１回ＦＭ検波されたＴＶ中間周波信号のＡＭ検波を行なったＴＶ放送側パイロット信号を出力するＴＶ放送側出力端子と、該ＦＭ検波部により１回ＦＭ検波されたＦＭ中間周波信号のＡＭ検波を行なったＦＭラジオ放送側出力信号を出力するＦＭラジオ放送側出力端子とを有するＡＭ検波部と、
前記切替部の共用切替端子及び前記ＡＭ検波部のＦＭラジオ放送側出力端子と接続され、入力した信号の周波数の低域部分を通過させる低域通過フィルタとを備えており、
前記音声出力制御部の入力側は、前記低域通過フィルタの出力側に接続された音声出力信号入力端子と、前記切替部のＦＭラジオ放送用切替端子と前記ＡＭ検波部のＴＶ放送側出力端子とに接続された音声モード信号入力端子とを有しており、
コンピュータを、
音声モード信号入力端子からの入力信号の識別部に含まれる音声モードと該入力信号により検出された音声モードとが同じであるか否かを判断する音声モード判断手段、
前記音声モード判断手段により２つの音声モードが同じであると判断された場合、音声出力信号入力端子から入力された音声出力信号を該音声モードに基づき出力させる音声制御手段として機能させるためのプログラム。
【請求項１０】
請求項９記載のプログラムにおいて、前記音声出力制御部は音声モードを入力する音声モード入力端子をさらに備え、
前記音声モード判断手段は、音声モード入力端子から入力された音声モードと音声モード信号入力端子からの入力信号により検出された音声モードとが同じであるか否かを判断することを特徴とするプログラム。
【請求項１１】
請求項９または１０記載のプログラムにおいて、前記音声制御手段は、前記音声モード判断手段により２つの音声モードが同じであると判断されなかった場合、音声出力信号入力端子から入力された音声出力信号を所定の音声モードに基づき出力することを特徴とするプログラム。
【請求項１２】
請求項６ないし１１のいずれかに記載されたプログラムを記録したコンピュータ読取り可能な記録媒体。
【発明の詳細な説明】
【技術分野】
【０００１】
本発明は、ＡＭラジオ放送の音声信号の復調処理と、ＦＭラジオ放送の音声信号の復調処理と、アナログテレビジョン放送の映像信号および音声信号の復調処理とを行なう受信機等に関する。
【背景技術】
【０００２】
図１６は、従来のＡＭ（Amplitude Modulation : 振幅変調）ラジオ放送の音声信号の復調処理部のブロック図を示す。ＡＭラジオ放送については非特許文献１等に記載されている。図１６において、符号８０は入力したＡＭＩＦ（Intermediate Frequency : 中間周波数）信号をＡＭ音声信号へ復調するＡＭ検波器、８はＡＭ検波器８０に入力したＡＭＩＦ信号の帯域制限を行なう帯域制限フィルタ、１０は帯域制限フィルタ８と接続され、入力した信号の搬送波成分の周波数と位相とに同期した同期搬送波を作成するＰＬＬ（Phase Locked Loop）回路、９は帯域制限フィルタ８から出力された信号とＰＬＬ回路１０により作成された同期搬送波とを混合するミキサ、１１はミキサ９から出力された信号から不要成分を取り除くローパスフィルタである。図１６に示されるように、従来のＡＭラジオ放送の音声信号の復調処理部は他の処理部とは独立して構成されていた。
【０００３】
図１７は、従来のＦＭ（Frequency Modulation : 周波数変調）ラジオ放送の音声信号の復調処理部のブロック図を示す。ＦＭラジオ放送については非特許文献１等に記載されている。図１７で図１６と同じ符号を付した要素は同じ機能を有するため説明は省略する。図１７において、符号９０は入力したＦＭＩＦ信号のＦＭ検波を行なってコンポジット信号を出力するＦＭ検波器であり、ＦＭ検波器９０内の帯域制限フィルタ２３はＦＭ検波器９０に入力したＦＭＩＦ信号の所望の帯域制限を行ない、ＰＬＬ回路２４は帯域制限フィルタ２３から出力された信号の同期搬送波を作成する。符号８０はコンポジット信号のＡＭ検波を行なって音声出力信号を出力するＡＭ検波器、７７はコンポジット信号内にあるステレオ放送の有無を示す１９ＫＨｚのパイロット信号を検出するためのローパスフィルタ、７８はＡＭ検波器８０から出力された音声出力信号およびローパスフィルタ７７により検出されたパイロット信号の有無により音声出力制御を行ない、復調されたＦＭステレオ音声（左右）を出力する音声出力制御回路である。図１７に示されるように、従来のＦＭラジオ放送の音声信号の復調処理部は、図１６に示されるようなＡＭラジオ放送の音声信号の復調処理部とは独立して構成されていた。
【０００４】
図１８は、従来のアナログＴＶ（Television）放送の映像信号および音声信号の復調処理部のブロック図を示す。テレビ放送については非特許文献２等に記載されている。図１８で図１６および図１７と同じ符号を付した要素は同じ機能を有するため説明は省略する。図１８において、符号８０ａおよび８０ｂは図１６と同様の構成を有するＡＭ検波器であり、９０ａおよび９０ｂは図１７と同様の構成を有するＦＭ検波器である。図１８に示されるように、ＴＶＩＦ信号の映像中間周波信号はＡＭ検波器８０ａで映像検波されてカラー映像信号（ＮＴＳＣ：National Television System Committee方式の信号）が取り出される。テレビジョンの音声信号は、一部の方式を除き周波数変調（ＦＭ）方式で送られているため、基本的に上述のＦＭ復調と同様である。ＴＶＩＦ信号の音声中間周波信号はＦＭ検波器９０ａで１回目のＦＭ検波が行なわれ、コンポジット信号がＦＭ検波器９０ｂ（２回目のＦＭ検波）へ送られてＦＭ検波され音声出力信号が出力される。一方、コンポジット信号はＡＭ検波器８０ｂとへ送られてＡＭ検波され副音声信号の有無が検出される。音声出力制御回路７８は上記音声出力信号および副音声信号の有無に基づき音声出力の制御を行なう。図１８に示されるように、従来のアナログＴＶ放送の映像信号の復調処理部と音声信号の復調処理部とは、図１６に示されるようなＡＭラジオ放送の音声信号の復調処理部および図１７に示されるようなＦＭラジオ放送の音声信号の復調処理部とは独立して構成されていた。
【０００５】
【非特許文献１】ＮＨＫラジオ技術教科書、日本放送協会編集、平成５年１０月２５日発行、日本放送出版協会発行。
【非特許文献２】ＮＨＫテレビ技術教科書（上）、日本放送協会編集、平成１５年１月３０日第１５刷発行、日本放送出版協会発行。
【発明の開示】
【発明が解決しようとする課題】
【０００６】
上述のように、従来、ＡＭラジオの音声信号の復調処理部、ＦＭラジオの音声信号の復調処理部、アナログＴＶ放送の映像信号の復調処理部と音声信号の復調処理部は、各々独立して別の処理部として構成されていた。このため、ＡＭラジオの音声信号の復調処理、ＦＭラジオの音声信号の復調処理およびアナログＴＶ放送の映像信号の復調処理を同じ受信機で行う場合、復調処理部のサイズの増大および製造コストの増大を招くことになり、さらに受信機の消費電力の増大も招くという問題があった。
【０００７】
そこで、本発明の目的は、上記問題を解決するためになされたものであり、ＡＭラジオの音声信号の復調処理、ＦＭラジオの音声信号の復調処理およびアナログＴＶ放送の映像信号の復調処理を同じ受信機で行う場合であっても、復調処理部のサイズの増大、製造コストの増大および受信機の消費電力の増大を避けることができる受信機等を提供することにある。
【課題を解決するための手段】
【０００８】
この発明の受信機は、振幅変調（ＡＭ）ラジオ放送の音声信号の復調処理と、周波数変調（ＦＭ）ラジオ放送の音声信号の復調処理と、アナログテレビジョン（ＴＶ）放送の映像信号及び音声信号の復調処理とを選択的に行う受信機であって、ＡＭラジオ放送、ＦＭラジオ放送又はＴＶ放送の種別を示す放送モードと音声の種別を示す音声モードとを含む指示情報に基づいて選択された中間周波信号に該放送モード及び該音声モードを含める処理を行うモード処理部と、入力信号のＡＭ検波を行なうＡＭ検波部と、入力信号のＦＭ検波を行なうＦＭ検波部と、入力信号を第１ないし第５切替端子へ出力する切替部と、入力信号の周波数の低域部分を通過させる低域通過フィルタと、入力信号に含まれる音声モードに基づき音声出力信号の出力制御を行なう音声出力制御部とを備え、前記モード処理部の出力側は、放送モード及び音声モードを含む各中間周波信号を出力するＡＭ中間周波信号出力端子、ＦＭ中間周波信号出力端子及びＴＶ中間周波信号出力端子を有し、前記音声出力制御部の入力側は、音声モードを識別可能な信号を入力する音声モード信号入力端子及び音声出力信号を入力する音声出力信号入力端子を有し、前記ＡＭ検波部の入力側は、前記モード処理部のＡＭ中間周波信号出力端子、ＴＶ中間周波信号出力端子及び前記切替部の第１切替端子と接続されたＡＭ検波部入力端子を有し、出力側はＡＭ音声信号の出力端子、ＴＶ映像信号の出力端子、前記音声出力制御部の音声モード信号入力端子と接続された出力端子及び前記低域通過フィルタの入力端子と接続された出力端子を有し、前記ＦＭ検波部の入力側は、前記モード処理部のＴＶ中間周波信号出力端子、ＦＭ中間周波信号出力端子及び前記切替部の第２切替端子と接続され、出力側は前記切替部と接続されており、前記切替部の第３切替端子は前記音声出力制御部の音声出力信号入力端子と接続され、第４切替端子は前記音声出力制御部の音声モード信号入力端子と接続されており、前記低域通過フィルタの入力側は前記切替部の第５切替端子と接続され、出力側は前記音声出力制御部の音声出力信号入力端子と接続されており、前記モード処理部は、放送モード及び音声モードを含む指示情報を入力する指示情報入力手段と、前記指示情報入力手段により入力した放送モードに基づき、受信したＡＭ中間周波信号、ＦＭ中間周波信号及びＴＶ中間周波信号の内のいずれかの中間周波信号を選択する選択手段と、前記選択手段により選択された中間周波信号の所定の識別部に前記指示情報入力手段により入力した放送モード及び音声モードを含めさせた後、該中間周波信号に応じてＡＭ中間周波信号出力端子、ＦＭ中間周波信号出力端子又はＴＶ中間周波信号出力端子のいずれかの出力端子から出力させる識別部設定手段とを備え、前記ＡＭ検波部は、ＡＭ検波部入力端子から入力された入力信号のＡＭ検波を行なうＡＭ検波回路と、前記ＡＭ検波回路により復調された信号の識別部に含まれる放送モードがＡＭラジオ放送モードを示す場合は復調された信号をＡＭ音声信号の出力端子から出力させ、該放送モードがＴＶ放送モードを示す場合は復調された信号をＴＶ映像信号の出力端子から出力させ、該放送モードがＦＭ検波後ＴＶ放送モードを示す場合は復調された信号を前記音声出力制御部の音声モード信号入力端子と接続された出力端子から出力させ、該放送モードがＦＭラジオ放送モードを示す場合は復調された信号を前記低域通過フィルタの入力端子と接続された出力端子から出力させる判定回路とを備え、前記切替部は、入力信号の識別部に含まれる放送モードの内容を判断する放送モード判断手段と、前記放送モード判断手段によりＦＭラジオ放送モードを示すと判断された場合、該入力信号を第１切替端子、第４切替端子及び第５切替端子から出力させるＦＭラジオ放送モード切替手段と、前記放送モード判断手段によりＴＶ放送モードを示すと判断された場合、該放送モードの内容をＦＭ検波後ＴＶ放送モードへ変更した後の入力信号を第１切替端子、第２切替端子及び第５切替端子から出力させるＴＶ放送モード切替手段と、前記放送モード判断手段によりＦＭ検波後ＴＶ放送モードを示すと判断された場合、該入力信号を第３切替端子から出力させるＦＭ検波後ＴＶ放送モード切替手段とを備え、前記音声出力制御部は、音声モード信号入力端子からの入力信号の識別部に含まれる音声モードと該入力信号により検出された音声モードとが同じであるか否かを判断する音声モード判断手段と、前記音声モード判断手段により２つの音声モードが同じであると判断された場合、音声出力信号入力端子から入力された音声出力信号を該音声モードに基づき出力させる音声制御手段とを備えたことを特徴とする。
【０００９】
ここで、この発明の受信機において、前記ＦＭ検波部は、入力信号の帯域制限を行なう帯域制限フィルタと、該帯域制限フィルタから出力された信号の同期検波を行なう同期検波回路と、該同期検波回路から出力された信号の高周波を抑制する高周波抑制フィルタとを備えることができる。
【００１０】
ここで、この発明の受信機において、前記モード処理部は音声モードを出力する音声モード出力端子をさらに備え、前記音声出力制御部は該音声モード出力端子と接続された音声モード入力端子をさらに備え、前記識別部設定手段は、前記選択手段により選択された中間周波信号の所定の識別部に前記指示情報入力手段により入力した放送モードを含めさせた後、該中間周波信号に応じてＡＭ中間周波信号出力端子、ＦＭ中間周波信号出力端子又はＴＶ中間周波信号出力端子のいずれかの出力端子から出力させ、前記指示情報入力手段により入力した音声モードは音声モード出力端子から出力させるものであり、前記音声モード判断手段は、音声モード入力端子から入力された音声モードと音声モード信号入力端子からの入力信号により検出された音声モードとが同じであるか否かを判断することができる。
【００１１】
ここで、この発明の受信機において、前記ＡＭ検波部のＡＭ検波部入力端子は前記モード処理部のＡＭ中間周波信号出力端子と接続されたＡＭ中間周波信号専用入力端子と、ＴＶ中間周波信号出力端子及び切替部の第１切替端子と接続された他の入力端子とに分かれ、前記モード処理部の識別部設定手段は、前記選択手段によりＡＭ中間周波信号が選択された場合、受信したＡＭ中間周波信号の所定の識別部に前記指示情報入力手段により入力した音声モードを含めさせた後、ＡＭ中間周波信号出力端子から出力させ、前記ＡＭ検波部のＡＭ検波回路は、ＡＭ中間周波信号専用入力端子から入力された入力信号のＡＭ検波を行なって、復調された信号をＡＭ音声信号の出力端子から出力させる第１ＡＭ検波回路と、他の入力端子から入力された入力信号のＡＭ検波を行なう第２ＡＭ検波回路とを有し、前記判定回路は、前記第２ＡＭ検波回路により復調された信号の識別部に含まれる放送モードがＴＶ放送モードを示す場合は復調された信号をＴＶ映像信号の出力端子から出力させ、該放送モードがＦＭ検波後ＴＶ放送モードを示す場合は復調された信号を前記音声出力制御部の音声モード信号入力端子と接続された出力端子から出力させ、該放送モードがＦＭラジオ放送モードを示す場合は復調された信号を前記音声出力制御部の音声出力信号入力端子と接続された出力端子から出力させることができる。
【００１２】
ここで、この発明の受信機において、前記音声制御手段は、前記音声モード判断手段により２つの音声モードが同じであると判断されなかった場合、音声出力信号入力端子から入力された音声出力信号を所定の音声モードに基づき出力することができる。
【００１３】
この発明のプログラムは、振幅変調（ＡＭ）ラジオ放送の音声信号の復調処理と、周波数変調（ＦＭ）ラジオ放送の音声信号の復調処理と、アナログテレビジョン（ＴＶ）放送の映像信号及び音声信号の復調処理とを選択的に行う受信機における、ＡＭラジオ放送、ＦＭラジオ放送又はＴＶ放送の種別を示す放送モードと音声の種別を示す音声モードとを含む指示情報に基づいて選択された中間周波信号に該放送モード及び該音声モードを含める処理を行うモード処理部の処理を行うためのプログラムであって、前記モード処理部の出力側は前記受信機においてＡＭ検波を行なうＡＭ検波部と接続されたＡＭ中間周波信号出力端子、前記受信機においてＦＭ検波を行なうＦＭ検波部と接続されたＦＭ中間周波信号出力端子及び前記ＡＭ検波部と前記ＦＭ検波部とに接続されたＴＶ中間周波信号出力端子を有しており、コンピュータを、放送モード及び音声モードを含む指示情報を入力する指示情報入力手段、前記指示情報入力手段により入力した放送モードに基づき、受信したＡＭ中間周波信号、ＦＭ中間周波信号及びＴＶ中間周波信号の内のいずれかの中間周波信号を選択する選択手段、前記選択手段により選択された中間周波信号の所定の識別部に前記指示情報入力手段により入力した放送モード及び音声モードを含めさせた後、該中間周波信号に応じてＡＭ中間周波信号出力端子、ＦＭ中間周波信号出力端子又はＴＶ中間周波信号出力端子のいずれかの出力端子から出力させる識別部設定手段として機能させるためのプログラムである。
【００１４】
ここで、この発明のプログラムにおいて、前記モード処理部は音声モードを出力する音声モード出力端子をさらに備え、該音声モード出力端子は入力信号の所定の識別部に含まれる音声モードに基づき音声信号の処理を行う音声出力制御部と接続されており、前記識別部設定手段は、前記選択手段により選択された中間周波信号の所定の識別部に前記指示情報入力手段により入力した放送モードを含めさせた後、該中間周波信号に応じてＡＭ中間周波信号出力端子、ＦＭ中間周波信号出力端子又はＴＶ中間周波信号出力端子のいずれかの出力端子から出力させ、前記指示情報入力手段により入力した音声モードは音声モード出力端子から出力させることができる。
【００１５】
この発明のプログラムは、振幅変調（ＡＭ）ラジオ放送の音声信号の復調処理と、周波数変調（ＦＭ）ラジオ放送の音声信号の復調処理と、アナログテレビジョン（ＴＶ）放送の映像信号及び音声信号の復調処理とを選択的に行う受信機における、ＡＭラジオ放送、ＦＭラジオ放送又はＴＶ放送の種別を示す放送モードに基づき、該放送モードを所定の識別部に含む入力信号を第１ないし第５切替端子へ出力する切替部の処理を行うためのプログラムであって、前記受信機は、入力信号のＡＭ検波を行なうＡＭ検波部と、入力信号のＦＭ検波を行なうＦＭ検波部と、入力信号の周波数の低域部分を通過させる低域通過フィルタと、入力信号に含まれる音声モードに基づき音声出力信号の出力制御を行なう音声出力制御部とを備えており、前記切替部の入力側は前記ＦＭ検波部の出力側と接続され、第１切替端子は前記ＡＭ検波部の入力側と接続され、第２切替端子は前記ＦＭ検波部の入力側と接続され、第３切替端子は前記音声出力制御部の入力側における音声出力信号を入力する音声出力信号入力端子と接続され、第４切替端子は前記音声出力制御部の入力側における音声モードを識別可能な信号を入力する音声モード信号入力端子と接続され、第５切替端子は前記低域通過フィルタの入力側と接続されており、コンピュータを、入力信号の識別部に含まれる放送モードの内容を判断する放送モード判断手段、前記放送モード判断手段によりＦＭラジオ放送モードを示すと判断された場合、該入力信号を第１切替端子、第４切替端子及び第５切替端子から出力させるＦＭラジオ放送モード切替手段、前記放送モード判断手段によりＴＶ放送モードを示すと判断された場合、該放送モードの内容をＦＭ検波後ＴＶ放送モードへ変更した後の入力信号を第１切替端子、第２切替端子及び第５切替端子から出力させるＴＶ放送モード切替手段、前記放送モード判断手段によりＦＭ検波後ＴＶ放送モードを示すと判断された場合、該入力信号を第３切替端子から出力させるＦＭ検波後ＴＶ放送モード切替手段として機能させるためのプログラムである。
【００１６】
この発明のプログラムは、振幅変調（ＡＭ）ラジオ放送の音声信号の復調処理と、周波数変調（ＦＭ）ラジオ放送の音声信号の復調処理と、アナログテレビジョン（ＴＶ）放送の映像信号及び音声信号の復調処理とを選択的に行う受信機における、入力信号の所定の識別部に含まれる音声の種別を示す音声モードに基づき音声出力信号の処理を行う音声出力制御部の処理を行うためのプログラムであって、前記受信機は、入力信号のＦＭ検波を行なうＦＭ検波部により１回ＦＭ検波されたＦＭ中間周波信号を出力するＦＭラジオ放送用切替端子と、該ＦＭ検波部により２回ＦＭ検波されたＴＶ中間周波信号を出力するＴＶ放送用切替端子と、該ＦＭ検波部により１回ＦＭ検波されたＦＭ中間周波信号またはＴＶ中間周波信号を出力する共用切替端子とを有する切替部と、前記ＦＭ検波部により１回ＦＭ検波されたＴＶ中間周波信号のＡＭ検波を行なったＴＶ放送側パイロット信号を出力するＴＶ放送側出力端子と、該ＦＭ検波部により１回ＦＭ検波されたＦＭ中間周波信号のＡＭ検波を行なったＦＭラジオ放送側出力信号を出力するＦＭラジオ放送側出力端子とを有するＡＭ検波部と、前記切替部の共用切替端子及び前記ＡＭ検波部のＦＭラジオ放送側出力端子と接続され、入力した信号の周波数の低域部分を通過させる低域通過フィルタとを備えており、前記音声出力制御部の入力側は、前記低域通過フィルタの出力側に接続された音声出力信号入力端子と、前記切替部のＦＭラジオ放送用切替端子と前記ＡＭ検波部のＴＶ放送側出力端子とに接続された音声モード信号入力端子とを有しており、コンピュータを、音声モード信号入力端子からの入力信号の識別部に含まれる音声モードと該入力信号により検出された音声モードとが同じであるか否かを判断する音声モード判断手段、前記音声モード判断手段により２つの音声モードが同じであると判断された場合、音声出力信号入力端子から入力された音声出力信号を該音声モードに基づき出力させる音声制御手段として機能させるためのプログラムである。
【００１７】
ここで、この発明のプログラムにおいて、前記音声出力制御部は音声モードを入力する音声モード入力端子をさらに備え、前記音声モード判断手段は、音声モード入力端子から入力された音声モードと音声モード信号入力端子からの入力信号により検出された音声モードとが同じであるか否かを判断することができる。
【００１８】
ここで、この発明のプログラムにおいて、前記音声制御手段は、前記音声モード判断手段により２つの音声モードが同じであると判断されなかった場合、音声出力信号入力端子から入力された音声出力信号を所定の音声モードに基づき出力することができる。
【００１９】
この発明の記録媒体は、本発明のいずれかのプログラムを記録したコンピュータ読取り可能な記録媒体である。
【発明の効果】
【００２０】
ＡＭラジオの音声信号の復調処理部と、ＦＭラジオの音声信号の復調処理部と、アナログＴＶ放送の映像信号の復調処理部とを、ソフトウェア無線技術の利用により共通化した復調処理部を設ける。復調処理部は、放送の種別を示す放送モードと音声の種別を示す音声モードとを含む指示情報に基づいて選択されたＩＦ信号に放送モード及び音声モードを含める処理を行う１個のモード処理部、１個のＡＭ検波部、１個のＦＭ検波部、１個の切替部、１個の低域通過フィルタおよび１個の音声出力制御部のみで構成することができる。受信機のコンピュータに本発明の復調処理部のコンピュータ・プログラムを実行させることにより、ＡＭラジオの音声信号の復調処理と、ＦＭラジオの音声信号の復調処理と、アナログＴＶ放送の映像信号の復調処理とを同じ受信機で行うことができる。この結果、ＡＭラジオの音声信号の復調処理と、ＦＭラジオの音声信号の復調処理と、アナログＴＶ放送の映像信号の復調処理とを同じ受信機で行う場合であっても、復調処理部のサイズの増大、製造コストの増大および受信機の消費電力の増大を避けることができるという効果がある。
【発明を実施するための最良の形態】
【００２１】
以下、各実施例について図面を参照して詳細に説明する。
【実施例１】
【００２２】
本発明の受信機等の特徴は、従来技術においてＡＭラジオの音声信号の復調処理部、ＦＭラジオの音声信号の復調処理部、アナログＴＶ放送の映像信号の復調処理部を独立して個別に用意していたのに対し、上記３種類の復調処理部をソフトウェア無線技術の利用により共通化した点にある。
【００２３】
図１は、本発明の実施例１における受信機の復調処理部１００のブロック図である。以下では、まず復調処理部１００の各要素の接続関係について説明し、次に各要素の機能の詳細について説明する。図１において、符号５はモード処理部であり、入力端子ＩｎからＡＭラジオ放送（ＡＭ）、ＦＭラジオ放送（ＦＭ）又はＴＶ放送（ＴＶ）の種別を示す放送モードＢと、モノラル音声（Ｍ）、ステレオ音声（Ｓ）、主音声（Ｍａｉｎ）又は副音声（Ｓｕｂ）の種別を示す音声モードＶとを含む指示情報Ｒを入力する。モード処理部５はＡＭＩＦ信号入力端子２ａからＡＭＩＦ信号、ＴＶＩＦ信号入力端子２ｂからＴＶＩＦ信号、ＦＭＩＦ信号入力端子２ｃからＦＭＩＦ信号を各々入力する。モード処理部５は指示情報Ｒに基づいてＩＦ信号を選択し、選択したＩＦ信号のタグ（所定の識別部）に放送モードＢ及び音声モードＶを含める処理を行って、ＡＭＩＦ信号を選択した場合はＡＭＩＦ信号出力端子３ａ、ＴＶＩＦ信号を選択した場合はＴＶＩＦ信号出力端子３ｂ、ＦＭＩＦ信号を選択した場合はＦＭＩＦ信号出力端子３ｃから各々出力する。
【００２４】
図1において、符号６はＡＭ検波部入力端子１３に入力した信号のＡＭ検波を行なうＡＭ検波部である。ＡＭ検波部入力端子１３はモード処理部５のＡＭＩＦ信号出力端子３ａ、ＴＶＩＦ信号出力端子３ｂ及び切替部３０（後述）の第１切替端子３１と接続されている。ＡＭ検波部６の出力側はＡＭ音声信号出力端子１４、ＮＴＳＣ方式のカラーＴＶ映像信号出力端子１５、音声出力制御部５０（後述）の音声モード信号入力端子５１と接続されたＡＭ検波部出力端子１７及び低域通過フィルタ４０の入力端子と接続されたＡＭ検波部出力端子１６を有している。
【００２５】
符号２０はＦＭ検波部入力端子２２に入力した信号のＦＭ検波を行うＦＭ検波部である。ＦＭ検波部２０のＦＭ検波部入力端子２２は、モード処理部５のＴＶＩＦ信号出力端子３ｂ、ＦＭＩＦ信号出力端子３ｃ及び切替部３０の第２切替端子３２と接続されている。ＦＭ検波部出力端子２６は切替部３０と接続されている。ＦＭ検波部２０はコンポジット信号をＦＭ検波部出力端子２６から出力する。ＦＭ検波部２０は、入力したＩＦ信号の所望の帯域制限を行う帯域制限フィルタ２３と、帯域制限フィルタ２３から出力された信号の同期検波を行なう同期検波（ＰＬＬ）回路２４と、ＰＬＬ回路２４から出力された、ＦＭ復調処理に生じる搬送波の２倍周波数となる高調波信号を抑制するための高調波抑制用フィルタ２５とを有している。
【００２６】
符号３０はＦＭ検波部２０のＦＭ検波部出力端子２６と接続され入力信号を第１切替端子３１、第２切替端子３２、第３切替端子３３、第４切替端子３４、第５切替端子３５へ切替る切替部である。切替部３０の第１切替端子３１はＡＭ検波部６のＡＭ検波部入力端子１３と接続され、第２切替端子３２はＦＭ検波部２０のＦＭ検波部入力端子２２と接続され、第３切替端子３３は音声出力制御部５０の音声出力信号入力端子５２と接続され、第４切替端子３４は音声出力制御部５０の音声モード信号入力端子５１と接続され、第５切替端子３５は低域通過フィルタ４０（後述）と接続されている。
【００２７】
符号４０は入力側が切替部３０の第５切替端子３５及びＡＭ検波部６のＡＭ検波部出力端子１６と接続され、出力側が音声出力制御部５０の音声出力信号入力端子５２に接続された、入力信号の周波数の低域部分を通過させる低域通過フィルタ（ローパスフィルタ）である。一般に、周波数変調では周波数に比例して増大する雑音を防ぐために予め高域の変調度を強調して送信するプリエンファシス（pre-emphasis）処理を行っている。プリエンファシス処理を行う回路の時定数（プリエンファシス量）は、ＦＭラジオ放送の音声信号に対しては５０μｓ、ＴＶ放送の音声信号に対しては７５μｓと定められている。そこで低域通過フィルタ４０により、ＦＭラジオ放送またはＴＶ放送の各音声信号に対して高域を弱めるデエンファシス（de-emphasis）処理を行なっている。後述するように、切替部３０によりＦＭラジオ放送モード（ＦＭ）またはＴＶ放送モード（ＴＶ）を示すと判断された場合、切替部３０は上記第５切替端子３５から低域通過フィルタ４０へ信号を出力する。低域通過フィルタ４０は当該信号の低域を通過させて、ＦＭラジオ放送モード（ＦＭ）またはＴＶ放送モード（ＴＶ）の主音声出力を音声出力制御部５０の音声出力信号入力端子５２へ出力する。さらに低域通過フィルタ４０は、ＡＭ検波部６により放送モードがＦＭラジオ放送を示すと判定されてＡＭ検波部出力端子１６から出力されたＦＭラジオ放送側出力信号の低域を通過させて、ＦＭラジオ放送モード（ＦＭ）の副音声出力を音声出力制御部５０の音声出力信号入力端子５２へ出力する。以上のＡＭ検波部６、ＦＭ検波部２０および低域通過フィルタ４０において、前処理及び後処理のいずれのフィルタ２３、２５、４０等またはＰＬＬ回路２４のパラメータについては、上記タグに基づきその処理に適切なものを選択する。これは、同じＡＭ検波、ＦＭ検波処理であっても搬送周波数、パイロット信号の周波数は各々の処理毎に異なり、ＦＭラジオ放送とＴＶ放送とではプリエンファシス特性が異なるため、ＡＭ検波部６、ＦＭ検波部２０および低域通過フィルタ４０においてタグに対応した処理を行う必要があるためである。
【００２８】
符号５０は入力信号に含まれる音声モードに基づき音声出力信号の出力制御を行なう音声出力制御部である。音声出力制御部５０の入力側は、音声モードＶを識別可能な信号を入力する音声モード信号入力端子５１及び音声出力信号を入力する音声出力信号入力端子５２を有している。音声出力制御部５０の出力側はＴＶ音声（左右）出力部５６とＦＭ音声（左右）出力部５５とを有している。
【００２９】
次に、復調処理部１００の各要素の機能について説明する。復調処理部１００のモード処理部５、切替部３０および音声出力制御部５０の機能は、受信機のコンピュータ（後述）により実行されるコンピュータ・プログラムとして実現することができる。モード処理部５は上記コンピュータを後述する指示情報入力手段、選択手段、識別部設定手段として機能させるためのプログラムとして実現することができる。図２は本発明の実施例１におけるモード処理部５のプログラムの機能をフローチャートで示す。図２に示されるように、放送モードＢ及び音声モードＶを含む指示情報Ｒを入力する（ステップＳ２。指示情報入力手段）。ステップＳ２（指示情報入力手段）により入力した放送モードＢに基づき、受信したＡＭＩＦ信号、ＦＭＩＦ信号及びＴＶＩＦ信号の内のいずれかのＩＦ信号を選択する（ステップＳ４。選択手段）。ステップＳ４（選択手段）により選択されたＩＦ信号のタグ（所定の識別部）にステップＳ２（指示情報入力手段）により入力した放送モードＢ及び音声モードＶを含めさせる（ステップＳ６）。この後ＩＦ信号に応じて，ＡＭＩＦ信号であると判断された場合（ステップＳ８）、ＡＭＩＦ信号出力端子３ａから出力させ（ステップＳ１０）、ＦＭＩＦ信号であると判断された場合（ステップＳ１２）、ＦＭＩＦ信号出力端子３ｃから出力させ（ステップＳ１４）、いずれでもない場合はＴＶＩＦ出力端子３ｂから出力させる（ステップＳ１６。ステップＳ８ないしＳ１６が識別部設定手段）。
【００３０】
ＡＭ検波部６はミキサ、フィルタ、ＰＬＬ等を用いた通常の構成によるＡＭ検波回路と以下で説明する判定回路とにより実現することができる。図３は、本発明の実施例１におけるＡＭ検波部６の一構成例を示す。図３で図１と同じ符号が付された箇所は同じ要素を示すため説明は省略する。図３に示されるように、ＡＭ検波部入力端子１３からの入力信号は帯域制限を行なう帯域制限フィルタ８を通され、ＰＬＬ回路１０により入力信号から搬送波に同期した信号を生成し、この生成した信号と入力信号とをミキサ９で混合する。ミキサ９からの出力信号はローパスフィルタ１１により高周波成分を除去される。以上の帯域制限フィルタ８、ＰＬＬ回路１０、ミキサ９およびローパスフィルタ１１により、ＡＭ検波回路が構成される。次に、ローパスフィルタ１１から出力された信号はタグ判断部１２（判定回路）に入力される。タグ判断部１２は、ＡＭ検波回路により復調された信号のタグに含まれる放送モードＢがＡＭラジオ放送モード（ＡＭ）を示す場合は復調された信号をＡＭ音声信号出力端子１４から出力させ、放送モードＢがＴＶ放送モード（ＴＶ）を示す場合は復調された信号をカラーＴＶ映像信号出力端子１５から出力させる。タグ判断部１２は、放送モードＢがＦＭ検波後ＴＶ放送モード（ＴＶ／ＦＭ）を示す場合、復調された信号（パイロット信号）を音声出力制御部５０の音声モード信号入力端子５１と接続されたＡＭ検波部出力端子（ＴＶ放送側出力端子）１７から出力させる。タグ判断部１２は、放送モードＢがＦＭラジオ放送モード（ＦＭ）を示す場合、復調された信号を低域通過フィルタ４０の入力端子と接続されたＡＭ検波部出力端子（ＦＭラジオ放送側出力端子）１６から出力させる。以上の図７に示される構成は一例であり他の構成であってもよいことはもちろんである。
【００３１】
上述のＡＭ検波部６におけるＰＬＬ回路１０は、通常の構成により実現することができる。図４は、本発明の実施例１におけるＰＬＬ回路１０の一構成例を示す。図４に示されるように、帯域制限フィルタ８から信号が入力されると、位相比較器４６は当該信号とＶＣＯ（Voltage Controlled Oscillator : 電圧制御発信器）４８からの信号との位相差に応じた電圧を発生する。この電圧はアンプ４７を介してＶＣＯ４８の制御電圧となり、帯域制限フィルタ８から入力された信号とＶＣＯ４８からの信号との周波数の差が小さくなるようにＶＣＯ４８が制御される。ＶＣＯ４８の発振周波数が帯域制限フィルタ８から入力された信号と同じになったところで安定する。
【００３２】
切替部３０は上記コンピュータを後述する放送モード判断手段、ＦＭラジオ放送モード切替手段、ＴＶ放送モード切替手段、ＦＭ検波後ＴＶ放送モード切替手段として機能させるためのプログラムとして実現することができる。図５は本発明の実施例１における切替部３０のプログラムの機能をフローチャートで示す。図５に示されるように、入力信号のタグに含まれる放送モードＢの内容を判断する（ステップＳ２０、Ｓ２４、Ｓ２８。放送モード判断手段）。放送モード判断手段によりＦＭラジオ放送モード（ＦＭ）を示すと判断された場合（ステップＳ２０）、入力信号を第１切替端子３１、第４切替端子（ＦＭラジオ放送用切替端子）３４及び第５切替端子（共用切替端子）３５から出力させる（ステップＳ２２。ＦＭラジオ放送モード切替手段）。放送モード判断手段によりＴＶ放送モード（ＴＶ）を示すと判断された場合、放送モードの内容をＦＭ検波後ＴＶ放送モード（ＴＶ／ＦＭ）へ変更した後の入力信号を第１切替端子３１、第２切替端子３２及び第５切替端子３５から出力させる（ステップＳ２６。ＴＶ放送モード切替手段）。放送モード判断手段によりＦＭ検波後ＴＶ放送モード（ＴＶ／ＦＭ）を示すと判断された場合、入力信号（ＴＶ放送の副音声出力）を第３切替端子（ＴＶ放送用切替端子）３３から出力させる（ステップＳ２９。ＦＭ検波後ＴＶ放送モード切替手段）。
【００３３】
音声出力制御部５０は上記コンピュータを後述する音声モード判断手段、音声制御手段として機能させるためのプログラムとして実現することができる。図６は本発明の実施例１における音声出力制御部５０のプログラムの機能をフローチャートで示す。図６に示されるように、音声モード信号入力端子５１からの入力信号のタグに含まれる音声モードＶと当該入力信号により検出された音声モードとが同じであるか否かを判断する（ステップＳ３０。音声モード判断手段）。具体的には、音声モード信号入力端子５１からの入力信号のタグに含まれる放送モードＢがＦＭである場合、当該入力信号のタグに含まれる音声モードＶと当該入力信号を所定のＦＭラジオ放送用のバンドパスフィルタ（不図示）を通して検出されたパイロット信号による音声モードとが同じであるか否かを判断する。所定のＦＭラジオ放送用のバンドパスフィルタは、ステレオ（Ｓ）放送識別のための１９ＫＨｚのパイロット信号が重畳されている点を考慮したフィルタを用いればよい。一方、音声モード信号入力端子５１からの入力信号のタグに含まれる放送モードＢがＴＶ／ＦＭである場合、当該入力信号のタグに含まれる音声モードＶと、当該入力信号（パイロット信号）により示される音声モードとが同じであるか否かを判断する。当該入力信号（パイロット信号）は音声多重（Ｍａｉｎ、Ｓｕｂ）放送の場合は９２２．５Ｈｚ、ステレオ（Ｓ）放送の場合は９８２．５Ｈｚの正弦波信号であるため、音声モードを識別することができる。
ステップＳ３０（音声モード判断手段）により２つの音声モードが同じであると判断された場合、音声出力信号入力端子５２から入力された音声出力信号を当該音声モードＶに基づき出力させる（ステップＳ３２。音声制御手段）。
【００３４】
図７は、上述の本発明のコンピュータ・プログラムを実行する受信機のコンピュータの内部回路６０を示すブロック図である。図７に示されるように、復調処理部１００等（復調処理部１００の他は後述の実施例で説明）、ＣＰＵ６１、ＲＯＭ６２、ＲＡＭ６３、画像制御部６６、コントローラ６７、入力制御部６９および外部インタフェース（Ｉ／Ｆ）部７１はバス７２に接続されている。例えばＡＭ信号はアンテナ１ａにより受信し、ＦＭ信号はアンテナ１ｂにより受信し、ＴＶ信号はアンテナ１ｃにより受信する。受信部４には、図示していないがアンテナ１ａ等により受信した信号を増幅するアンプ、アンプの出力をＶＣＯからの信号と混合してＩＦ信号へ変換するミキサ等があり、このＩＦ信号が復調処理部１００等へ入力される。
【００３５】
本発明のコンピュータ・プログラムは、ＲＯＭ６２、ディスク６８ａまたはＣＤ−ＲＯＭ６８ｎ等の記録媒体（脱着可能な記録媒体を含む）に記録されており、ＲＯＭ６２からバス７２を介し、またはディスク６８ａ若しくはＣＤ−ＲＯＭ６８ｎ等の記録媒体からコントローラ６７を経由してバス７２を介しＲＡＭ６３へロードされる。ＣＰＵ６１がＲＡＭ６３へロードされた本発明のコンピュータ・プログラムを実行することにより、受信機のコンピュータに本発明の復調処理部１００等のコンピュータ・プログラムを実施させることができる。
【００３６】
入力操作部７０は受信機に所望のデータを入力するためのマウス、テンキー等の入力装置（不図示）であり、入力操作部７０と接続された入力制御部６９は、入力操作部７０の入力制御を行なう。画像メモリであるＶＲＡＭ６５は受信機の表示部（不図示）の少なくとも一画面分のデータ容量に相当する容量を有しており、画像制御部６６はＶＲＡＭ６５のデータを画像データへ変換して表示部６４へ送出する機能を有している。外部Ｉ／Ｆ部７１は受信機が外部の装置等と接続する際の入出力インタフェース機能を有する。
【００３７】
本発明のコンピュータ・プログラムは上述のようにＣＤ−ＲＯＭ６８ｎ等の記録媒体の形態でコンピュータＣＰＵ６１に供給することができ、当該コンピュータ・プログラムを記録したＣＤ−ＲＯＭ６８ｎ等の記録媒体も同様に本発明を構成することになる。当該コンピュータ・プログラムを記録した記録媒体としては上述された記録媒体の他に、例えばメモリ・カード、メモリ・スティック、ＤＶＤ、光ディスク、ＦＤ等を用いることができる。
【００３８】
以上より、本発明の実施例１によれば、従来の受信機のＡＭラジオの音声信号の復調処理部とＦＭラジオの音声信号の復調処理部とアナログＴＶ放送の映像信号の復調処理部とを、ソフトウェア無線技術の利用により共通化して本発明の復調処理部１００を設けることができる。復調処理部１００は、１個のモード処理部５、１個のＡＭ検波部６、１個のＦＭ検波部２０、１個の切替部３０、１個の低域通過フィルタ４０および１個の音声出力制御部５０のみで構成することができる。受信機のコンピュータに本発明の復調処理部１００のコンピュータ・プログラムを実行させることにより、ＡＭラジオの音声信号の復調処理と、ＦＭラジオの音声信号の復調処理と、アナログＴＶ放送の映像信号の復調処理とを同じ受信機で行うことができる。この結果、ＡＭラジオの音声信号の復調処理、ＦＭラジオの音声信号の復調処理およびアナログＴＶ放送の映像信号の復調処理を同じ受信機で行う場合であっても、復調処理部のサイズの増大、製造コストの増大および受信機の消費電力の増大を避けることができる復調処理方法等を提供することができる。
【実施例２】
【００３９】
実施例１では、モード処理部５は選択したＩＦ信号のタグに放送モードＢ及び音声モードＶを含める処理を行って、各ＩＦ信号出力端子３ａ等からＩＦ信号を各々出力した。本実施例２では音声モードＶを音声出力制御部５０へ直接出力する例について説明する。図８は、本発明の実施例２における受信機の復調処理部１２０のブロック図を示す。図８で図１と同じ符号を付した箇所は同じ機能を示すため説明は省略する。以下、実施例１の復調処理部１００と本実施例２の復調処理部１２０との相違に重点をおいて説明する。図８に示されるように、本実施例２ではモード処理部５に音声モードＶを出力する音声モード出力端子３ｄをさらに設け、音声出力制御部５０に音声モード出力端子３ｄと接続された音声モード入力端子５３をさらに設けることにより、音声モードＶを音声出力制御部５０へ直接出力している。このため、図８に示されるように各タグには音声モードＶを含めないで済ませることができる。
【００４０】
図９は本発明の実施例２におけるモード処理部５のプログラムの機能をフローチャートで示す。図９で図２と同じステップＳ番号を付したブロックは同じ機能を有するため説明は省略する。図９に示されるように、ステップＳ７でステップＳ４（選択手段）により選択されたＩＦ信号のタグにステップＳ２（指示情報入力手段）により入力した放送モードＢのみを含めさせた後、ＩＦ号に応じてＡＭＩＦ信号出力端子３ａ、ＦＭＩＦ信号出力端子３ｃ又はＴＶＩＦ信号出力端子３ｂのいずれかの出力端子から出力させる。ステップＳ２（指示情報入力手段）により入力した音声モードＶは音声モード出力端子３ｄから出力させる（ステップＳ１７）。
【００４１】
図１０は本発明の実施例２における音声出力制御部５０のプログラムの機能をフローチャートで示す。図１０で図６と同じステップＳ番号を付したブロックは同じ機能を有するため説明は省略する。図１０に示されるように、ステップＳ３１（音声モード判断手段）において、音声モード入力端子５３から入力された音声モードＶと音声モード信号入力端子５１からの入力信号により検出された音声モードとが同じであるか否かを判断する。具体的な処理は実施例１と同様であるため説明は省略する。ステップＳ３１（音声モード判断手段）により２つの音声モードが同じであると判断された場合、音声出力信号入力端子５２から入力された音声出力信号を当該音声モードＶに基づき出力させる（ステップＳ３２。音声制御手段）。
【００４２】
以上より、本発明の実施例２によれば、モード処理部５に音声モードＶを出力する音声モード出力端子３ｄをさらに設け、音声出力制御部５０に音声モード出力端子３ｄと接続された音声モード入力端子５３をさらに設ける。この結果、選択されたＩＦ信号のタグに放送モードＢのみを含めさせた後、ＩＦ号に応じていずれかのＩＦ信号出力端子３ａ等から出力させることができる。音声モードＶはモード処理部５の音声モード出力端子３ｄから音声出力制御部５０へ直接出力させるため、実施例１と同様の効果を有しつつ、タグの長さを音声モードＶの分だけ短くすることができる。
【実施例３】
【００４３】
実施例１および２では、ＡＭ検波部６の入力側はＡＭ検波部入力端子１３のみであった。本実施例３では入力端子を２つに分けたＡＭ検波部７としている。図１１は、本発明の実施例３における受信機の復調処理部１３０のブロック図を示す。図１１で図１と同じ符号を付した箇所は同じ機能を示すため説明は省略する。以下、上述の実施例１等のＡＭ検波部６と本実施例３のＡＭ検波部７との相違に重点をおいて説明する。図１１に示されるように、ＡＭ検波部７ではモード処理部５のＡＭＩＦ信号出力端子３ａと接続されたＡＭＩＦ信号専用入力端子１８と、ＴＶＩＦ信号出力端子３ｂ及び切替部３０の第１切替端子３１と接続された他の入力端子１３とに分けている。
【００４４】
図１２は本発明の実施例３におけるモード処理部５のプログラムの機能をフローチャートで示す。図１２で図２と同じステップＳ番号を付したブロックは同じ機能を有するため説明は省略する。図１２に示されるように、ステップＳ４（選択手段）によりＡＭＩＦが選択された場合（ステップＳ８）、受信したＡＭＩＦ信号のタグにステップＳ２（指示情報入力手段）により入力した音声モードＶを含めさせ（ステップＳ９）、その後ＡＭＩＦ信号出力端子３ａから出力させる（ステップ１０）。ステップＳ４（選択手段）によりＡＭＩＦと異なる他のＩＦ信号が選択された場合は、実施例１と同様にステップＳ４（選択手段）により選択されたＩＦ信号のタグにステップＳ２（指示情報入力手段）により入力した放送モードＢ及び音声モードＶを含めさせる（ステップＳ６）。この後ＩＦ信号に応じて、ＦＭＩＦ信号であると判断された場合（ステップＳ１２）、ＦＭＩＦ信号出力端子３ｃから出力させ（ステップＳ１４）、いずれでもない場合はＴＶＩＦ出力端子３ｂから出力させる（ステップＳ１６。ステップＳ８ないしＳ１６が識別部設定手段）。
【００４５】
図１３は本発明の実施例３におけるＡＭ検波部７の一構成例を示す。図１３で図３と同じ符号が付された箇所は同じ要素を示すため説明は省略する。図１３に示されるように、ＡＭ検波部７は、帯域制限フィルタ８ａ、ミキサ９ａ、ローパスフィルタ１１ａ、ＰＬＬ回路１０ａより構成される第１ＡＭ検波回路と、帯域制限フィルタ８ｂ、ミキサ９ｂ、ローパスフィルタ１１ｂ、ＰＬＬ回路１０ｂより構成される第２ＡＭ検波回路とを備えている。第１ＡＭ検波回路はＡＭＩＦ信号専用入力端子１８から入力された入力信号のＡＭ検波を行なって、復調された信号をＡＭ音声信号出力端子１４から出力させる。一方、第２ＡＭ検波回路は他の入力端子１３から入力された入力信号のＡＭ検波を行なって、復調された信号をタグ判定部１２（判定回路）へ出力する。タグ判定部１２は、第２ＡＭ検波回路により復調された信号のタグに含まれる放送モードＢがＴＶ放送モード（ＴＶ）を示す場合は復調された信号をカラーＴＶ映像信号出力端子１５から出力させ、放送モードＢがＦＭ検波後ＴＶ放送モード（ＴＶ／ＦＭ）を示す場合は復調された信号をＡＭ検波部出力端子１７から出力させ、放送モードＢがＦＭラジオ放送モード（ＦＭ）を示す場合は復調された信号をＡＭ検波部出力端子１６から出力させる。
【００４６】
以上より、本発明の実施例３によれば、ＡＭ検波部７の入力端子をモード処理部５のＡＭＩＦ信号出力端子３ａと接続されたＡＭＩＦ信号専用入力端子１８と、ＴＶＩＦ信号出力端子３ｂ及び切替部３０の第１切替端子３１と接続された他の入力端子１３とに分け、ＡＭ検波部７内にＡＭＩＦ信号専用入力端子１８と接続された第１ＡＭ検波回路を別途設ける。この結果、モード処理部５ではＡＭＩＦが選択された場合、受信したＡＭＩＦ信号のタグに音声モードＶのみ含めさせればよいことになるため、実施例１と同様の効果を有しつつ、タグの長さを放送モードＢの分だけ短くすることができる。
【実施例４】
【００４７】
上述の実施例１ないし３では、音声出力制御部５０の処理において図６（実施例１）のステップＳ３０または図１０（実施例２）のステップＳ３１（音声モード判断手段）により２つの音声モードが同じであると判断されなかった場合、そのまま処理は終了していた。本実施例４では、音声出力信号入力端子５２から入力された音声出力信号を所定の音声モードに基づき出力させることができる。
【００４８】
図１４は本発明の実施例４における音声出力制御部５０のプログラムの機能をフローチャートで示す。図１４で図６と同じステップＳ番号を付したブロックは同じ機能を有するため説明は省略する。図１４に示されるように、ステップＳ３０（音声モード判断手段）により２つの音声モードが同じであると判断されなかった場合、音声出力信号入力端子５２から入力された音声出力信号を所定の音声モードに基づき出力させる（ステップＳ３３）。所定の音声モードとしてはデフォルトとしてのモノラル（Ｍ）または主音声（Ｍａｉｎ）を用いることができる。
【００４９】
図１５は本発明の実施例４における音声出力制御部５０のプログラムの機能をフローチャートで示す。図１５で図１０と同じステップＳ番号を付したブロックは同じ機能を有するため説明は省略する。図１５に示されるように、ステップＳ３１（音声モード判断手段）により２つの音声モードが同じであると判断されなかった場合、音声出力信号入力端子５２から入力された音声出力信号を所定の音声モードに基づき出力させる（ステップＳ３４）。所定の音声モードとしては上述と同様にデフォルトとしてのモノラル（Ｍ）または主音声（Ｍａｉｎ）を用いることができる。
【００５０】
以上より、本発明の実施例４によれば、音声出力制御部５０の処理において２つの音声モードが同じであると判断されなかった場合であっても、音声出力信号入力端子５２から入力された音声出力信号を所定の音声モードに基づき出力させることができる。
【産業上の利用可能性】
【００５１】
本発明の活用例として、ＡＭラジオの音声信号の復調処理部と、ＦＭラジオの音声信号の復調処理部と、アナログＴＶ放送の映像信号の復調処理部とを共通化して構成したソフトウェア無線機を挙げることができる。
【図面の簡単な説明】
【００５２】
【図１】本発明の実施例１における受信機の復調処理部１００のブロック図である。
【図２】本発明の実施例１におけるモード処理部５のプログラムの機能を示すフローチャートである。
【図３】本発明の実施例１におけるＡＭ検波部６の一構成例を示す図である。
【図４】本発明の実施例１におけるＰＬＬ回路１０の一構成例を示す図である。
【図５】本発明の実施例１における切替部３０のプログラムの機能を示すフローチャートである。
【図６】本発明の実施例１における音声出力制御部５０のプログラムの機能を示すフローチャートである。
【図７】本発明のコンピュータ・プログラムを実行する受信機のコンピュータの内部回路６０を示すブロック図である。
【図８】本発明の実施例２における受信機の復調処理部１２０のブロック図である。
【図９】本発明の実施例２におけるモード処理部５のプログラムの機能を示すフローチャートである。
【図１０】本発明の実施例２における音声出力制御部５０のプログラムの機能を示すフローチャートである。
【図１１】本発明の実施例３における受信機の復調処理部１３０のブロック図である。
【図１２】本発明の実施例３におけるモード処理部５のプログラムの機能を示すフローチャートである。
【図１３】本発明の実施例３におけるＡＭ検波部７の一構成例を示す図である。
【図１４】本発明の実施例４における音声出力制御部５０のプログラムの機能を示すフローチャートである。
【図１５】本発明の実施例４における音声出力制御部５０のプログラムの機能を示すフローチャートである。
【図１６】従来のＡＭラジオ放送の音声信号の復調処理部のブロック図である。
【図１７】従来のＦＭラジオ放送の音声信号の復調処理部のブロックである。
【図１８】従来のアナログＴＶ放送の映像信号および音声信号の復調処理部のブロック図ある。
【符号の説明】
【００５３】
１ａ，１ｂ，１ｃ  アンテナ、  ２ａ  ＡＭＩＦ信号入力端子、  ２ｂ  ＴＶＩＦ信号入力端子、  ２ｃ  ＦＭＩＦ信号入力端子、  ３ａ  ＡＭＩＦ信号出力端子、  ３ｂ  ＴＶＩＦ信号出力端子、  ３ｃ  ＦＭＩＦ信号出力端子、  ３ｄ  音声モード出力端子、  ４  受信部、  ５  モード処理部、  ６，７  ＡＭ検波部、  ８，８ａ，８ｂ，２３，４０  帯域制限フィルタ、  ９，９ａ，９ｂ  ミキサ、  １０，１０ａ，１０ｂ，２４  ＰＬＬ回路、  １１，１１ａ，１１ｂ，４０，７７  ローパスフィルタ（低域通過フィルタ）、  １２  タグ判断部、  １３  ＡＭ検波部入力端子、  １４  ＡＭ音声信号出力端子、  １５  カラーＴＶ映像信号出力端子、  １６，１７  ＡＭ検波部出力端子、  ２０  ＦＭ検波部、  ２２  ＦＭ検波部入力端子、  ２５  高調波抑制用フィルタ、  ２６  ＦＭ検波部出力端子、  ３０  切替部、  ３１  第１切替端子、  ３２  第２切替端子、  ３３  第３切替端子、  ３４  第４切替端子、  ３５  第５切替端子、  ４６  位相比較器、  ４７  アンプ、  ４８  ＶＣＯ、  ５０  音声出力制御部、  ５１  音声モード信号入力端子、  ５２  音声出力信号入力端子、  ５３  音声モード入力端子、  ５５  ＦＭ音声（左右）出力部、  ５６  ＴＶ音声（左右）出力部、  ６０  内部回路、  ６１  ＣＰＵ、  ６２  ＲＯＭ、  ６３  ＲＡＭ、  ６４  表示部、  ６５  ＶＲＡＭ、  ６６  画像制御部、  ６７  コントローラ、  ６８ａ  ディスク、  ６８ｎ  ＣＤ−ＲＯＭ、  ６９  入力制御部、  ７０  入力操作部、  ７１  外部Ｉ／Ｆ部、  ７２  バス、  ７８  音声出力制御回路、  ８０，８０ａ，８０ｂ  ＡＭ検波器、  ９０，９０ａ，９０ｂ  ＦＭ検波器、  １００，１２０，１３０  復調処理部。  
【図１】
2005311633.tif 000003
【図２】
2005311633.tif 000004
【図３】
2005311633.tif 000005
【図４】
2005311633.tif 000006
【図５】
2005311633.tif 000007
【図６】
2005311633.tif 000008
【図７】
2005311633.tif 000009
【図８】
2005311633.tif 000010
【図９】
2005311633.tif 000011
【図１０】
2005311633.tif 000012
【図１１】
2005311633.tif 000013
【図１２】
2005311633.tif 000014
【図１３】
2005311633.tif 000015
【図１４】
2005311633.tif 000016
【図１５】
2005311633.tif 000017
【図１６】
2005311633.tif 000018
【図１７】
2005311633.tif 000019
【図１８】
2005311633.tif 000020